(57)【特許請求の範囲】
【請求項１】
容器本体と、この容器本体の口部の嵌合部に着脱可能に嵌合される該口部を開閉する開閉蓋とからなる容器において、前記開閉蓋を前記容器本体の口部を覆う金属材製の開閉蓋本体と、この開閉蓋本体の内側奥部に形成された回転防止片と、前記開閉蓋本体内に挿入される上部に前記回転防止片と係合する係合部、下部内壁面に前記口部の嵌合部と嵌合される嵌合部および中央部寄りの部位の内壁面に形成されたロックピン係合部とが形成された合成樹脂材製の内蓋と、この内蓋のロックピン係合部に上部より係合させることにより該内蓋を外方に押し圧でき、下部より押し上げるとロックピン係合部より外すことができるロックピンとで構成したことを特徴とする容器。
【発明の詳細な説明】
【０００１】
【発明の属する技術分野】
本発明は化粧クリーム等を収納するボトル形状の容器に関する。
【０００２】
【従来の技術】
従来、化粧クリーム等を収納するボトル形状の容器本体と、この容器本体の口部の開口部を開閉する開閉蓋とからなる容器の開閉蓋は金属材製の開閉蓋本体と、この開閉蓋本体内に嵌合や接着剤で合成樹脂材製の内蓋とで構成されている。
【０００３】
【発明が解決しようとする課題】
従来の容器に用いられる金属材と合成樹脂材とからなる開閉蓋は、金属材製の開閉蓋本体にメッキや塗装によって高級感を出すことができるとともに、合成樹脂材製の内蓋によってコストの低減や開口部の開閉をスムーズに行なうことができるが、役目が終りゴミになった場合、合成樹脂材と金属材とが固定しているため分離するのに手数がかかり、再利用することがコスト的に無理であるという欠点があった。
【０００４】
本発明は以上のような従来の欠点に鑑み、従来と同様な効果が得られるとともに、使用しなくなった場合には簡単に合成樹脂材と金属材とを分離して、容易で低コストで再利用することができる容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は容器本体と、この容器本体の口部の嵌合部に着脱可能に嵌合される該口部を開閉する開閉蓋とからなる容器において、前記開閉蓋を前記容器本体の口部を覆う金属材製の開閉蓋本体と、この開閉蓋本体の内側奥部に形成された回転防止片と、前記開閉蓋本体内に挿入される上部に前記回転防止片と係合する係合部、下部内壁面に前記口部の嵌合部と嵌合される嵌合部および中央部寄りの部位の内壁面に形成されたロックピン係合部とが形成された合成樹脂材製の内蓋と、この内蓋のロックピン係合部に上部より係合させることにより該内蓋を外方に押し圧でき、下部より押し上げるとロックピン係合部より外すことができるロックピンとで容器を構成している。
【０００７】
【発明の実施の形態】
以下、図面に示す実施の形態により、本発明を詳細に説明する。
【０００８】
図１ないし図７の本発明の第１の実施の形態において、１はガラスや合成樹脂材でボトル状に形成された容器本体で、この容器本体１の開口部２が形成された口部３の外周面には嵌合部としての雄ねじ４が形成されている。
【０００９】
５は前記容器本体１の開口部２を開閉することができる開閉蓋で、この開閉蓋５は金属材製の開閉蓋本体６と、この開閉蓋本体６内に着脱可能に取付けられた合成樹脂材製の内蓋７と、この内蓋７と前記開閉蓋本体６とを嵌合状態に保持するロックピン８とで構成されている。
【００１０】
前記開閉蓋本体６は図４に示すようにメッキや塗装が施されるとともに、内奥内壁面には複数個の突条の回転防止片９が形成されている。
【００１１】
前記内蓋７は図５に示すように下端部に前記開閉蓋本体６の下端部を覆うフランジ部１０が形成された内蓋本体１１と、この内蓋本体１１の上部の複数個、本実施の形態では４個の切り欠部１２、１２、１２、１２が形成された外壁面に形成された前記開閉蓋本体６の回転防止片９と回動不能に係合するローレット状に形成された係合部１３と、前記内蓋本体１１の下部内壁面に形成された前記容器本体１の雄ねじ４と螺合する嵌合部としての雌ねじ１４と、前記内蓋本体１１の切り欠部１２、１２、１２、１２の下端部が位置する中央部寄りの部位の内壁面に形成された前記ロックピン８と係合し、該内蓋本体１１部位を外方へ押し圧して前記開閉蓋本体６と嵌合固定されるリング状のストッパー片１５が下部に有するロックピン係合部１６とで構成されている。
【００１２】
前記ロックピン８は図６に示すように前記内蓋７のロックピン係合部１６と着脱可能に係合する円板状の係合片１７と、この係合片１７の下端部と一体成形された前記リング状のストッパー片１５内に挿入されるパッキン支持部１８とで構成されている。
【００１３】
上記構成の容器１９の開閉蓋５は、内蓋７の上部よりロックピン８を挿入してロックピン係合部１６に該ロックピン８を係合させる。
このロックピン８がロックピン係合部１６に係合して、外方へ押し圧された内蓋７を開閉蓋本体６内に押し込むことにより、開閉蓋本体６と内蓋７とが嵌合固定される。
このようにして組付けられた開閉蓋５は、容器本体１の開口部２にパッキング２０を介して取付けることにより、密封状態に閉じることができる。
【００１４】
使用しなくなった場合には容器１９の容器本体１と、開閉蓋５のロックピン８を下部よりピン２１等で押し込み、ロックピン係合部１６との係合を解除すると開閉蓋本体６、内蓋７およびロックピン８とに容易に分離され、材質ごとに別けて再利用することができる。
【００１５】
【発明の異なる実施の形態】
次に、図８および図９に示す本発明の異なる実施の形態につき説明する。なお、この本発明の異なる実施の形態の説明に当って、前記本発明の第１の実施の形態と同一構成部分には同一符号を付して重複する説明を省略する。
【００１６】
図８および図９の本発明の第２の実施の形態において、前記本発明の第１の実施の形態と主に異なる点は、容器本体１Ａの口部３の外周面に開閉蓋５の嵌合部としての雌ねじ１４と螺合する嵌合部としての複数個の係止突片２２、２２、２２を形成した点で、このように形成された容器本体１Ａを用いた容器１９Ａにしても、前記本発明の第１の実施の形態と同様な作用効果が得られる。
【００１７】
図１０ないし図１２に示す本発明者が考えた容器において、前記本発明の第１の実施の形態と主に異なる点は、天板６ａの中央部に透孔２３を形成した開閉蓋本体６Ａと、この開閉蓋本体６Ａの透孔２３を塞ぐように突出する突片２４を有し、上部より押しつけることにより内蓋本体１１のロックピン係合部１６から下方へ外れるロックピン８Ａを用いて開閉蓋５Ａを形成した点で、このように形成された開閉蓋５Ａを用いて構成した容器１９Ｂにしても良い。
【００１８】
図１３ないし図１５に示す本発明者が考えた容器において、前記図１０ないし図１２に示す容器と主に異なる点は、内蓋７のストッパー片１５と下部より当接するフランジ状のストッパー片２５を下端部に形成したロックピン８Ｂを用いて開閉蓋５Ｂを形成した点で、このように形成した開閉蓋５Ｂを用いて構成した容器１９Ｃにしても良い。
【００１９】
図１６および図１７に示す本発明者が考えた容器において、前記図１０ないし図１２に示す容器と主に異なる点は、開閉蓋本体６Ａの天板６ａの透孔２３Ａの周縁部を下部側が拡開する傾斜面に形成するとともに、天板６ａの上面より突出しない突片２４Ａの上端部を前記透孔２３Ａの周縁部に沿う形状に形成したロックピン８Ｃを用いて開閉蓋５Ｃを形成した点で、このように形成された開閉蓋５Ｃを用いて構成した容器１９Ｄにしても良い。
【００２０】
【発明の効果】
以上の説明から明らかなように、本発明にあっては次に列挙する効果が得られる。
【００２１】
（１）容器本体と、この容器本体の口部の嵌合部に着脱可能に嵌合される該口部を開閉する開閉蓋とからなる容器において、前記開閉蓋を前記容器本体の口部を覆う金属材製の開閉蓋本体と、この開閉蓋本体の内側奥部に形成された回転防止片と、前記開閉蓋本体内に挿入される上部に前記回転防止片と係合する係合部、下部内壁面に前記口部の嵌合部と嵌合される嵌合部および中央部寄りの部位の内壁面に形成されたロックピン係合部とが形成された合成樹脂材製の内蓋と、この内蓋のロックピン係合部に上部より係合させることにより該内蓋を外方に押し圧でき、下部より押し上げるとロックピン係合部より外すことができるロックピンとで構成されているので、開閉蓋のロックピンをピン等で押しつけ、ロックピン係合部との係合を解除することにより、開閉蓋本体と内蓋とを容易に分解することができる。
したがって、材質ごとに分解して再利用することができる。
【００２２】
（２）前記（１）によって、ロックピンをロックピン係合部に係合させた内蓋を開閉蓋本体に押し込むことにより、開閉蓋本体に内蓋を嵌合状態で固定することができる。
したがって、容易に開閉蓋を組付けることができる。
【００２３】
（３）前記（１）によって、容器の全部品を材質ごとに容易に分解できるので、全部品の再利用でができ、ゴミとして捨てる部分を少なくすることができる。
【図面の簡単な説明】
【図１】本発明の第１の実施の形態の断面図。
【図２】図１の２−２線に沿う断面図。
【図３】本発明の第１の実施の形態の開閉蓋の分解斜視図。
【図４】本発明の第１の実施の形態の開閉蓋本体の一部破断面図。
【図５】本発明の第１の実施の形態の内蓋の一部破断面図。
【図６】本発明の第１の実施の形態のロックピンの説明図。
【図７】本発明の第１の実施の形態の開閉蓋を分解する時の説明図。
【図８】本発明の第２の実施の形態の断面図。
【図９】本発明の第２の実施の形態の容器本体の正面図。
【図１０】本発明者が考えた容器の断面図。
【図１１】本発明者が考えた容器の開閉蓋の分解斜視図。
【図１２】本発明者が考えた容器の開閉蓋を分解する時の説明図。
【図１３】本発明者が考えた異なる容器の断面図。
【図１４】本発明者が考えた異なる容器の開閉蓋の分解斜視図。
【図１５】本発明者が考えた異なる容器の開閉蓋を分解する時の説明図。
【図１６】本発明者が考えた異なる容器の断面図。
【図１７】本発明者が考えた異なる容器の開閉蓋の分解斜視図。
【符号の説明】
１、１Ａ：容器本体、          ２：開口部部、
３：口部、
４：嵌合部としての雄ねじ、
５、５Ａ、５Ｂ：開閉蓋、      ６、６Ａ：開閉蓋本体、
７：内蓋、
８、８Ａ、８Ｂ、８Ｃ：ロックピン、
９：回転防止片、
１０：フランジ部、
１１：内蓋本体、
１２：切り欠部、
１３：係合部、
１４：嵌合部としての雌ねじ、
１５：ストッパー片、          １６：ロックピン係合部、
１７：係合片、
１８：パッキン支持部、
１９、１９Ａ、１９Ｂ、１９Ｃ、１９Ｄ：容器、
２０：パッキング、            ２１：ピン、
２２：係止突片、
２３、２３Ａ：透孔、
２４、２４Ａ：突片、          ２５：ストッパー片。
【図１】
0003920951.tif 000002
【図２】
0003920951.tif 000003
【図３】
0003920951.tif 000004
【図４】
0003920951.tif 000005
【図５】
0003920951.tif 000006
【図６】
0003920951.tif 000007
【図７】
0003920951.tif 000008
【図８】
0003920951.tif 000009
【図９】
0003920951.tif 000010
【図１０】
0003920951.tif 000011
【図１１】
0003920951.tif 000012
【図１２】
0003920951.tif 000013
【図１３】
0003920951.tif 000014
【図１４】
0003920951.tif 000015
【図１５】
0003920951.tif 000016
【図１６】
0003920951.tif 000017
【図１７】
0003920951.tif 000018